(57)【要約】【課題】電気工事の簡略化とコスト低減が可能な暖房端末機およびこれを用いた浴室暖房装置を提供する。【解決手段】暖房端末機６に内蔵する送風機構８を、暖房端末機６内の暖房用熱交換器９に供給される温水の流れで駆動するように、循環温水の流れで回転する水車１１と、この水車１１の回転により回転駆動する送風羽根１３などで構成する。【選択図】  図１
2004191007.tif 000002
【特許請求の範囲】
【請求項１】
熱源機から供給される温水により室内の空気を加熱する暖房用熱交換器と、この暖房用熱交換器に供給される温水の流れで駆動する送風機構を内蔵する暖房端末機。
【請求項２】
送風機構が、熱源機から供給される温水の流路中に配設された水車と、この水車の回転により駆動する送風羽根とからなる請求項１記載の暖房端末機。
【請求項３】
請求項１又は請求項２記載の暖房端末機と熱源機とを温水の循環配管で接続して構成される浴室暖房装置。
【請求項４】
熱源機が、給排気口を屋外に位置し配管類の接続部が浴室内の壁面側に配置される壁貫通設置型の給湯付き風呂釜である請求項３記載の浴室暖房装置。
【発明の詳細な説明】
【０００１】
【発明の属する技術分野】
本発明は、主として家庭用の浴室や脱衣室などの温水を用いた暖房・乾燥装置における暖房端末機、およびこれを用いた浴室暖房装置に関する。
【０００２】
【従来の技術】
図３に示すように、浴室３の天井面などに暖房端末機１５を設置し、この暖房端末機１５と浴室３外に設置した熱源機２０とを温水の循環配管１０で接続し、上記の暖房端末機１５には、熱源機２０から供給される温水の熱で温風を発生させるための暖房用熱交換器１７と、浴室３内の空気を暖房用熱交換器１７に導入して温風を吹き出すための電気で駆動する送風機構１６を備えて、リモコン（図示省略）等のスイッチ操作により暖房の指令が出されると、熱源機２０の燃焼により温水が作られ熱源機２０に内蔵された循環ポンプ２５によりその温水が暖房端末機１５に送られ、一方、暖房端末機１５では、送風機構１６に電気が供給されて駆動し、暖房用熱交換器１７に浴室内の空気を導入して温水の熱で暖められた空気が浴室３内に吹き出すことにより、浴室３の暖房を行ったり、乾燥の場合には浴室３内に設けられた換気扇（図示省略）と連動して浴室乾燥や衣類乾燥を行う浴室暖房乾燥装置が知られている（例えば、特許文献１参照）。
【０００３】
しかし、従来の装置では、暖房端末機１５の暖房用熱交換器１７で浴室内の空気を昇温するために電気で駆動する送風機構１６が必要で、一般にその電気は熱源機２０から供給されるため、熱源機２０と暖房端末機１５の間で、動力用と制御用との電気配線２６を必要としていた。
【０００４】
【特許文献１】
特開２００２−２６９６５２号公報（第１−３頁、図１）
【０００５】
【発明が解決しようとする課題】
暖房端末機の送風機構への電気配線を不要として、工事の簡略化とコスト低減が可能な暖房端末機およびこれを用いた浴室暖房装置を提供しようとするものである。
【０００６】
【課題を解決するための手段】
本発明は、次のものに関する。
（１）熱源機から供給される温水により室内の空気を加熱する暖房用熱交換器と、この暖房用熱交換器に供給される温水の流れで駆動する送風機構を内蔵する暖房端末機。
（２）送風機構が、熱源機から供給される温水の流路中に配設された水車と、この水車の回転により駆動する送風羽根とからなる上記（１）記載の暖房端末機。
（３）上記（１）又は（２）記載の暖房端末機と熱源機とを温水の循環配管で接続して構成される浴室暖房装置。
（４）熱源機が、給排気口を屋外に位置し配管類の接続部が浴室内の壁面側に配置される壁貫通設置型の給湯付き風呂釜である上記（３）記載の浴室暖房装置。
【０００７】
【作用】
浴室や脱衣室などの室内の暖房を行う場合、暖房端末機に熱源機で加熱した温水を熱源機に内蔵された循環ポンプで循環させると、その温水の流れにより送風機構８が駆動する。一方、暖房用熱交換器では上記の送風機構で送られる空気が温水により加熱され、温風となって浴室内に吹き出される。
【０００８】
【発明の実施の形態】
以下、本発明による暖房端末機およびこれを用いた浴室暖房装置の実施の形態について、図１及び図２を用いて具体的に説明する。
図１（ａ）は本発明による暖房端末機を用いた浴室暖房装置の実施の形態を示す概略構成図、図１（ｂ）は本発明による暖房端末機の概略構造図、図２は別の実施の形態による浴室暖房装置の概略構成図である。
図１（ａ）において、浴室３の天井に設けた暖房端末機６に内蔵する暖房用熱交換器９に温水を供給する熱源機２０には、循環水を加熱するための暖房用燃焼部２４と、この暖房用燃焼部２４で作られた温水を循環する循環ポンプ２５が内蔵されており、熱源機２０と浴室３に設けた暖房端末機６の暖房用熱交換器９とは温水が循環するように循環配管１０で接続される。
【０００９】
暖房端末機６には図１（ｂ）に示すように、図１（ａ）中に示す熱源機２０から供給される温水により浴室３内の空気を加熱するための暖房用熱交換器９と、浴室３内の空気を暖房用熱交換器９の周囲に導入して温水の熱で温められた空気を浴室３内に吹き出すための送風機構８が内蔵される。
上記の送風機構８は、暖房用熱交換器９への熱源機２０からの温水の循環配管１０の温水（入口）４０側の流路の途中に設けられ温水の流れにより回転する水車１１と、送風羽根１３を備え、水車１１と送風羽根１３とは、水車１１の回転に連動して送風羽根１３を回転駆動させるため軸１２で連結されている。
なお、図面では省略したが、水車１１は循環配管１０の途中に接続したケース内に配設され、このケースを介して温水が循環配管１０を循環するようにする。
【００１０】
次に、上記の暖房端末機６を用いた暖房装置の運転について説明する。
図１（ａ）に示す熱源機２０のリモコン（図示省略）で暖房のスイッチ操作を行うと、循環ポンプ２５が駆動して循環水が循環し、暖房用燃焼部２４で燃焼が開始する。暖房用燃焼部２４で加熱された温水は循環配管１０を通って暖房端末機６に入る。暖房端末機６の内部では図１（ｂ）に示すように水流の駆動部で、循環水によって水車１１が回転し、この水車１１と軸１２で連結された送風羽根１３が回転する。その後、温水は暖房用熱交換器９に入り、送風羽根１３の回転により供給される空気を加熱する。昇温された空気は浴室内に吹き出し、温度の下がった循環水は熱源機２０に戻って再加熱される。
【００１１】
なお、図１（ｂ）に示した水車１１、送風羽根１３、それらを連結する軸１２からなる送風機構８は、この実施の形態の構造のものに限らず、軸１２の途中に歯車を介したような動力伝達機構としてもよい。
また、実施の形態で示す図面では、送風機構８を暖房熱交換器９の上流側に設置しているが、暖房熱交換器９の下流側に設置されていてもその作用と効果は同じである。
【００１２】
また、熱源機２０としては、暖房専用の熱源機であっても、暖房熱源機が内蔵された給湯機や給湯付き風呂釜であっても、給湯付き風呂釜に追焚き経路と暖房経路を切替える切替えユニットが付いたものであってもよい。
【００１３】
図２に示す実施の形態では、暖房端末機６を浴室３に設置される浴槽２のエプロン部２に配設する構成とし、熱源機３０として、浴槽２の湯張りのための給湯用燃焼部２３及び追焚き用燃焼部２１を備えるとともに、浴室３外壁の給排気口用の方形穴（貫通孔）に浴室内側から嵌め込んで浴室壁面に固定して本体部分を屋外に突出し、湯、水、ガス等の配管接続部３０が浴室内の壁面側に配置される構造の壁貫通設置型（外壁貫通設置型）の給湯付き風呂釜を使用して、浴槽追焚き用の循環配管１０の途中に、暖房端末機６を介し浴槽２を経由して循環路に戻る流路と、暖房端末機６を介さずに浴槽２のみを経由する通常の追焚通路と、暖房端末機６のみを経由する流路とに切り替える切替えユニット１４を設ける構成として、壁貫通設置型の給湯付き風呂釜３０の使用により、施工からメンテナンスに至る作業の簡略化を図り、配管接続部３０が浴室３内の壁面側に配置することにより配管経路の短縮による浴室暖房中の熱損出を少なくし、また、暖房端末機６をエプロン部に配設することにより、浴室３の床面付近から温風が吹き出されて効率良く暖房できるようにした。
【００１４】
なお、上記の実施の形態で説明した浴室暖房装置は、浴室に設けられる換気扇（図示省略）と連動させることにより、浴室の乾燥や浴室を衣類乾燥に使用することもできる。
【００１５】
【発明の効果】
以上説明したように、本発明は、熱源機から供給される温水により室内の空気を加熱する暖房用熱交換器と、暖房用熱交換器に供給される温水の流れで駆動する送風機構を内蔵する暖房端末機であるから、暖房端末機への電気の供給が不要となって、工事の簡略化とコストの低減が可能となり浴室暖房の普及促進が計れる。
【図面の簡単な説明】
【図１】（ａ）は本発明による暖房端末機を用いた浴室暖房装置の実施の形態を示す概略構成図、（ｂ）は本発明による暖房端末機の概略構造図である。
【図２】図１（ａ）とは別の実施の形態による浴室暖房装置（熱源機に壁貫通設置型の給湯付き風呂釜を使用）の概略構成図である。
【図３】従来例による浴室暖房乾燥装置の概略構成図である。
【符号の説明】
１  浴槽                      １ａ  上縁面
２  エプロン部                  ３  浴室
４  浴室入口                    ５  洗い場床
６  暖房端末機                  ７  循環口
８  送風機構                    ９  暖房用熱交換器
１０  循環配管                  １１  水車
１２  軸                        １３  送風羽根
１４  切替えユニット            １５  暖房端末機
１６  送風機構                  １７  暖房用熱交換器
２０  熱源機                    ２１  追焚き用燃焼部
２２  追焚き用ポンプ            ２３  給湯用燃焼部
２４  暖房用燃焼部              ２５  循環ポンプ
２６  電気配線
３０  熱源機（壁貫通式の給湯付き風呂釜）
４０  温水（入）                ４１  温水（出）
４２  空気（入）                ４３  空気（出）
【図１】
2004191007.tif 000003
【図２】
2004191007.tif 000004
【図３】
2004191007.tif 000005